【手続補正書】
【提出日】平成24年6月21日(2012.6.21)
【手続補正１】
【補正対象書類名】明細書
【補正対象項目名】００３６
【補正方法】変更
【補正の内容】
【００３６】
本発明の主たる一態様は、動的スケジューリングモード及び持続的スケジューリングモードを提供する基地局装置と通信可能な無線通信端末によって実行される方法であって、ＨＡＲＱプロセスフィールド、ＲＶフィールド、及びＭＣＳフィールドを含む制御チャネル信号を受信するステップと、前記ＨＡＲＱプロセスフィールドの値、前記ＲＶフィールドの値、及び前記ＭＣＳフィールドを構成する複数のビットの一部の値が所定の組合せを示す場合に、前記基地局装置と前記持続的スケジューリングモードにより通信を行うステップと、を含む通信方法である。
本発明の他の態様は、前記持続的スケジューリングモードにおけるリソース割り当てが、前記動的なスケジューリングモードに比較して少ない、通信方法である。
本発明の他の態様は、前記ＨＡＲＱプロセスフィールドの値、前記ＲＶフィールドの値、及び前記ＭＣＳフィールドを構成するビットの一部の値の前記所定の組合せが、前記制御信号のフォーマットを暗黙的に示す、通信方法である。
本発明の他の態様は、前記持続的スケジューリングモードにおける利用可能なＨＡＲＱプロセスの数が、前記ＨＡＲＱプロセスフィールドを構成するビット数により表現可能なプロセスの最大数に比較して少ない、通信方法である。
本発明の他の態様は、前記制御チャネル信号のビットの数が、前記動的スケジューリングモードと前記持続的スケジューリングモードにおいて等しい、通信方法である。
本発明の他の態様は、前記持続的スケジューリングモードにおける前記ＨＡＲＱプロセスフィールドの値が固定値である、通信方法である。
本発明の他の態様は、前記持続的スケジューリングモードにおける前記ＲＶフィールドの値が固定値である、通信方法である。
本発明の他の態様は、動的スケジューリングモード及び持続的スケジューリングモードを提供する基地局装置と通信可能な無線通信端末であって、ＨＡＲＱプロセスフィールド、ＲＶフィールド、及びＭＣＳフィールドを含む制御チャネル信号を受信する受信部と、前記ＨＡＲＱプロセスフィールドの値、前記ＲＶフィールドの値、及び前記ＭＣＳフィールドを構成する複数のビットの一部の値が所定の組合せを示す場合に、前記基地局装置と前記持続的スケジューリングモードにより通信を行う通信部と、を有する無線通信端末である。
本発明の他の態様は、前記持続的スケジューリングモードにおけるリソース割り当てが、前記動的なスケジューリングモードに比較して少ない、無線通信端末である。
本発明の他の態様は、前記ＨＡＲＱプロセスフィールドの値、前記ＲＶフィールドの値、及び前記ＭＣＳフィールドを構成するビットの一部の値の前記所定の組合せが、前記制御信号のフォーマットを暗黙的に示す、無線通信端末である。
本発明の他の態様は、前記持続的スケジューリングモードにおける利用可能なＨＡＲＱプロセスの数が、前記ＨＡＲＱプロセスフィールドを構成するビット数により表現可能なプロセスの最大数に比較して少ない、無線通信端末である。
本発明の他の態様は、前記制御チャネル信号のビットの数が、前記動的スケジューリングモードと前記持続的スケジューリングモードにおいて等しい、無線通信端末である。
本発明の他の態様は、前記持続的スケジューリングモードにおける前記ＨＡＲＱプロセスフィールドの値が固定値である、無線通信端末である。
本発明の他の態様は、前記持続的スケジューリングモードにおける前記ＲＶフィールドの値が固定値である、無線通信端末である。
本発明の他の態様は、制御チャネル信号（例えば本明細書において前述した第１層／第２層制御チャネル）において少なくとも１つのいわゆる符号点（code point）を定義することである。したがって、符号点は、制御チャネル信号のフィールドの１つの特定の値であって、プロトコルデータユニットとしての関連するユーザデータを送信するためのスケジューリングモードと、制御チャネルフォーマットとを示す値、と考えることができる。あるいは、制御チャネル信号の２つ以上のフィールドによって表される値の特定の組合せとして、符号点を定義することもできる。同様に、制御チャネル信号における複数の異なる符号点を定義することができる。
【手続補正２】
【補正対象書類名】特許請求の範囲
【補正対象項目名】全文
【補正方法】変更
【補正の内容】
【特許請求の範囲】
【請求項１】
動的スケジューリングモード及び持続的スケジューリングモードを提供する基地局装置と通信可能な無線通信端末によって実行される方法であって、
ＨＡＲＱプロセスフィールド、ＲＶフィールド、及びＭＣＳフィールドを含む制御チャネル信号を受信するステップと、
前記ＨＡＲＱプロセスフィールドの値、前記ＲＶフィールドの値、及び前記ＭＣＳフィールドを構成する複数のビットの一部の値が所定の組合せを示す場合に、前記基地局装置と前記持続的スケジューリングモードにより通信を行うステップと、
を含む通信方法。
【請求項２】
前記持続的スケジューリングモードにおけるリソース割り当てが、前記動的なスケジューリングモードに比較して少ない、
請求項１に記載の通信方法。
【請求項３】
前記ＨＡＲＱプロセスフィールドの値、前記ＲＶフィールドの値、及び前記ＭＣＳフィールドを構成するビットの一部の値の前記所定の組合せが、前記制御信号のフォーマットを暗黙的に示す、
請求項１または２に記載の通信方法。
【請求項４】
前記持続的スケジューリングモードにおける利用可能なＨＡＲＱプロセスの数が、前記ＨＡＲＱプロセスフィールドを構成するビット数により表現可能なプロセスの最大数に比較して少ない、
請求項１から３のいずれかに記載の通信方法。
【請求項５】
前記制御チャネル信号のビットの数が、前記動的スケジューリングモードと前記持続的スケジューリングモードにおいて等しい、
請求項１から４のいずれかに記載の通信方法。
【請求項６】
前記持続的スケジューリングモードにおける前記ＨＡＲＱプロセスフィールドの値が固定値である、
請求項１から５のいずれかに記載の通信方法。
【請求項７】
前記持続的スケジューリングモードにおける前記ＲＶフィールドの値が固定値である、
請求項１から６のいずれかに記載の通信方法。
【請求項８】
動的スケジューリングモード及び持続的スケジューリングモードを提供する基地局装置と通信可能な無線通信端末であって、
ＨＡＲＱプロセスフィールド、ＲＶフィールド、及びＭＣＳフィールドを含む制御チャネル信号を受信する受信部と、
前記ＨＡＲＱプロセスフィールドの値、前記ＲＶフィールドの値、及び前記ＭＣＳフィールドを構成する複数のビットの一部の値が所定の組合せを示す場合に、前記基地局装置と前記持続的スケジューリングモードにより通信を行う通信部と、
を有する無線通信端末。
【請求項９】
前記持続的スケジューリングモードにおけるリソース割り当てが、前記動的なスケジューリングモードに比較して少ない、
請求項８に記載の無線通信端末。
【請求項１０】
前記ＨＡＲＱプロセスフィールドの値、前記ＲＶフィールドの値、及び前記ＭＣＳフィールドを構成するビットの一部の値の前記所定の組合せが、前記制御信号のフォーマットを暗黙的に示す、
請求項８または９に記載の無線通信端末。
【請求項１１】
前記持続的スケジューリングモードにおける利用可能なＨＡＲＱプロセスの数が、前記ＨＡＲＱプロセスフィールドを構成するビット数により表現可能なプロセスの最大数に比較して少ない、
請求項８から１０のいずれかに記載の無線通信端末。
【請求項１２】
前記制御チャネル信号のビットの数が、前記動的スケジューリングモードと前記持続的スケジューリングモードにおいて等しい、
請求項８から１１のいずれかに記載の無線通信端末。
【請求項１３】
前記持続的スケジューリングモードにおける前記ＨＡＲＱプロセスフィールドの値が固定値である、
請求項８から１２のいずれかに記載の無線通信端末。
【請求項１４】
前記持続的スケジューリングモードにおける前記ＲＶフィールドの値が固定値である、
請求項８から１３のいずれかに記載の無線通信端末。